(57)【要約】【課題】  超音波にて精度よく眼圧を測定できる非接触式超音波眼圧計を提供することを技術課題とする。【解決手段】  非接触式超音波眼圧計であって、被検眼角膜を微小変形させるための超音波を出射する振動子と、前記超音波によって変形される角膜の変形量と変形速度を測定するための測定手段と、前記測定手段によって測定された前記変形量と前記変形速度に基づいて、前記被検眼の眼圧を算出する眼圧算出手段と、を備えることを特徴とする。【選択図】      図１
2015008955.tif 000002
【特許請求の範囲】
【請求項１】
被検眼角膜を微小変形させるための超音波を出射する振動子と、
前記超音波によって変形される角膜の変形量と変形速度を測定するための測定手段と、
前記測定手段によって測定された前記変形量と前記変形速度に基づいて、前記被検眼の眼圧を算出する眼圧算出手段と、を備えることを特徴とする非接触式超音波眼圧計。
【請求項２】
請求項１の非接触式超音波眼圧計は
前記測定手段によって測定された前記変形速度に基づいて、前記角膜のヒステリシスを算出するヒステリシス算出手段を備え、
前記眼圧算出手段は、前記角膜の変形量と、前記ヒステリシス算出手段によって算出された前記ヒステリシスと、に基づいて前記被検眼の眼圧を算出する非接触式超音波眼圧計。
【請求項３】
請求項１の非接触式超音波眼圧計において、
前記振動子を制御し、前記角膜に対してパルス波を連続的に照射することによって角膜を振動させるための制御手段を備え、
前記眼圧算出手段は、振動中における角膜の変形量と変形速度に基づいて前記被検眼の眼圧を測定するための非接触式超音波眼圧計。
【請求項４】
請求項３の非接触式超音波眼圧計において、
前記制御手段は、前記振動子を制御し、前記角膜に対してバースト波を連続的に照射する非接触式超音波眼圧計。
【請求項５】
請求項１または２のいずれかの非接触式超音波眼圧計において、
前記測定手段は、
前記超音波によって変形される角膜の変形量と変形速度を光学的に測定する測定手段であって、作動距離方向における被検眼に対するアライメント状態を光学的に検出するアライメント検出手段を兼用することを特徴とする非接触式超音波眼圧計。
【発明の詳細な説明】
【技術分野】
【０００１】
本発明は、超音波を用いて非接触にて被検眼の眼圧を測定する非接触式超音波眼圧計に関する。
【背景技術】
【０００２】
非接触式眼圧計としては、未だ空気噴射式眼圧計が一般的である。空気噴射式眼圧計は、角膜に空気を噴射したときの角膜の圧平状態と、角膜に噴射される空気圧とを検出することによって、所定の変形状態における空気圧を眼圧に換算していた。
【０００３】
空気噴射式眼圧計と同じコンセプトの元、超音波式眼圧計が提案されている（特許文献１参照）。特許文献１の超音波式眼圧計は、角膜に超音波を放射したときの角膜の圧平状態と、角膜に噴射される放射圧とを検出することによって、所定の変形状態における放射圧を眼圧に換算していた。
【０００４】
また、超音波を用いた眼圧を測定する超音波眼圧計としては、角膜からの反射波の特性（振幅、位相）と眼圧との関係に基づいて眼圧を計測する装置が提案されている（特許文献２参照）。
【特許文献１】特開平５−２５３１９０号公報
【特許文献２】特開２００９−２６８６５１号公報
【発明の開示】
【発明が解決しようとする課題】
【０００５】
空気噴出式の眼圧計は被検者眼にとって負担であった。また、超音波式の眼圧計は実用レベルには到達しておらず、種々の改良が必要とされる。特許文献１の装置は、角膜を平坦或いは陥凹させる程度の超音波圧を要求する。したがって、被験者への負担は以前残っている。特許文献２の装置は、反射波のＳ/Ｎ比が微弱であるので、今のところ、空気噴射式に匹敵するレベルでの測定精度が得られていない。
【０００６】
本発明は、上記従来技術を鑑み、超音波にて精度よく眼圧を測定できる非接触式超音波眼圧計を提供することを技術課題とする。
【課題を解決するための手段】
【０００７】
上記課題を解決するために、本発明は以下のような構成を備えることを特徴とする。
【０００８】
非接触式超音波眼圧計であって、被検眼角膜を微小変形させるための超音波を出射する振動子と、前記超音波によって変形される角膜の変形量と変形速度を測定するための測定手段と、前記測定手段によって測定された前記変形量と前記変形速度に基づいて、前記被検眼の眼圧を算出する眼圧算出手段と、を備えることを特徴とする。
【発明を実施するための形態】
【０００９】
本発明の一実施形態について図面に基づいて説明する。図１は、本実施形態に係る非接触式超音波眼圧計の外観構成図である。非接触式超音波眼圧計１００は、いわゆる据え置き型の非接触式超音波眼圧計であって、基台１と、基台１に取り付けられた顔支持ユニット２と、基台１上に移動可能に設けられた移動台３と、移動台３に移動可能に設けられ、後述する測定系及び光学系を収納する測定部（測定ユニット）４と、を備える。測定部４は、移動台３に設けられたＸＹＺ駆動部６により、被検眼Ｅに対して左右方向（Ｘ方向）、上下方向（Ｙ方向）及び前後方向（Ｚ方向）に移動される。移動台３は、ジョイスティック５の操作により、基台１上をＸ方向及びＺ方向に移動される。また、検者が回転ノブ５ａを回転操作することにより、測定部４はＸＹＺ駆動部６のＹ駆動によりＹ方向に移動される。ジョイスティック５の頂部には、測定開始スイッチ５ｂが設けられている。移動台３には、表示モニタ７２が設けられている。
【００１０】
図２は本実施形態に係る非接触式超音波眼圧計の測定系及び光学系について説明する図であって、観察光路中に探触子が配置された場合の具体例である。図３は本実施形態に係る非接触式超音波眼圧計の制御系について説明する図である。
探触子（トランスジューサ）１０は、被検眼角膜を微小変形させるための超音波を出射する振動子１１を備える。探触子（トランスジューサ）１０は、例えば、被検眼Ｅの眼前に配置される。なお、探触子１０には、例えば、圧電素子が用いられる。なお、本実施形態では、被検眼に入射させる超音波として、パルス波が用いられ、振動子１１は超音波パルスを被検眼に対して入射させるための超音波入射部として用いられる。
【００１１】
本実施形態においては、振動子１１は角膜Ｅｃを変形（扁平）させるだけの出力を必要とする。しかしながら、角膜を平坦又は陥凹させる程度の放射圧は、要求されない。以下に、角膜Ｅｃを変形（扁平）させるために必要な音圧について説明する。
【００１２】
音圧は、１ｇの重さで直径３．０６ｍｍを圧平した場合、１０ｍｍＨｇになる。このときの音圧は、被検眼の眼圧が６０ｍｍＨｇとすると、次の計算で導かれる。
【００１３】
【数１】
2015008955.tif 000003
【００１４】
上記の式によって、眼圧が６０ｍｍＨｇである被検眼を、直径３．０６ｍｍの範囲だけ扁平するためには、音圧レベルは、理論的には１７２ｄＢとなる。
【００１５】
ただし、１７２ｄＢでは、照射時間により角膜に障害をきたす可能性がある。本実施形態では、角膜の圧平を求めているのではなく、ヒステリシスを伴う物理的な変形が発生すれば、眼圧が測定できる。従って、圧平には１７２ｄＢの音圧が必要だが、照射時間を極端に短くし、数［ｎｓ］（ナノ秒）にするか、６［Ｗ／ｃｍ＾２］（約１６７ｄＢ）程度の音響エネルギーにすることにより、角膜の変位を得てもよい。
【００１６】
本実施形態においては、角膜の変形を検出できる程度の超音波を出射できる探触子１０を用いて、被検眼に超音波パルスを入射させる。被検眼に入射させる超音波の音圧レベルは角膜Ｅｃを変形（扁平）させることができる程度の超音波を出力できればよい。
【００１７】
なお、被検眼に入射させる超音波の周波数としては、例えば、被検者に聞こえないように、可聴域より大きな周波数が好ましい。また、超音波は周波数が大きいほど空気中で減衰する。このため、可聴域を超え、かつ空気中の減衰が少ない大きさの周波数が好ましい。例えば、４０〜２００ＫＨｚが好ましい。本実施形態では、例えば、周波数を５０ＫＨｚとし、５０ＫＨｚの超音波を出力できる振動子１１が用いられる。
【００１８】
なお、空気を介して超音波を人体に照射する場合の照射基準があれば、本内容はそれに順ずるものとする。
【００１９】
また、探触子１０の被検眼側には、振動子１１から発せられる超音波を収束させるための音響レンズ１６が設けられており、被検眼と探触子１０とのアライメントが適正になったときに、被検眼に対するフォーカスが合うようになっている。
【００２０】
図２の説明に戻る。探触子１０及び音響レンズ１６の中心部には、固視光源３２（後述する）から発せられた固視標投影用の光束、及びアライメント光源４２から発せられたアライメント指標投影用の光束を通過させるための開口部１８（例えば、直径１ｍｍ程度の円孔）が形成されている。
【００２１】
また、対物レンズ２２の中心部に配置される振動子１１と、観察光学系２０の光路から外れた位置に配置される回路系（増幅回路８１、制御部７０、等）は、配線用ケーブル９５によって電気的に接続されている。
【００２２】
次に、光学系の構成について説明する。本光学系においては、被検眼の前眼部を観察するための観察光学系２０と、被検眼を固視させるための固視標投影光学系３０と、ＸＹアライメント用の指標を被検眼角膜に投影する第１指標投影光学系４０と、作動距離方向におけるアライメント検出用の指標を被検眼角膜に投影する指標投影光学系５０と、被検眼角膜に投影された作動距離方向におけるアライメント検出用の指標を検出する距離指標検出光学系５５が設けられている。
【００２３】
観察光学系２０は、その観察光路中に探触子１０が配置され、探触子１０の周辺領域を介して前眼部像を結像させる。より具体的には、観察光学系２０は、対物レンズ２２、結像レンズ２４、フィルタ２５、二次元撮像素子２６、とを有し、観察光軸Ｌ１上に探触子１０が配置されている。このため、被検眼の所定部位（例えば、角膜中心、瞳孔中心）に対して観察光軸Ｌ１がアライメントされると、被検眼の正面に探触子１０が配置される。さらに、図２に示す構成では、探触子１０の中心軸（中心軸の延長線）と観察光軸Ｌ１が同軸になるように配置されているので、被検眼の所定部位に対して観察光軸Ｌ１がアライメントされると、探触子１０の中心軸（中心軸の延長線）と被検眼の所定部位が一致した状態となるので、超音波による被検眼からの反射波を効率よく取得できる。
【００２４】
被検眼の斜め前方には、被検眼を赤外光により照明する前眼部照明光源３８が配置されている。フィルタ２５は、光源３８及び後述する光源４２の光を透過し、後述する作動距離検出用の光源５１の光に対して不透過の特性を持つ。
【００２５】
ここで、前眼部照明光源３８による前眼部反射光は、対物レンズ２２に向かう。この場合、探触子１０の周辺領域に到達した前眼部反射光は、対物レンズ２２を通過し、ビームスプリッタ３６及びビームスプリッタ４６を介して、結像レンズ２４によって二次元撮像素子２６上に結像される。
【００２６】
上記構成において、二次元撮像素子２６は前眼部観察用の撮像素子として用いられる。そして、二次元撮像素子２６から出力される撮像信号は、制御部７０へ入力され、表示モニタ７２の画面上に表示される。また、対物レンズ２２及び結像レンズ２４からなる結像光学系は、被検眼前眼部像を二次元撮像素子２６に導光する導光部材として用いられる。
【００２７】
なお、探触子１０に対して対物レンズ２２が同一位置に配置される具体的構成としては、図２に示すような構成が考えられる。対物レンズ２２には、探触子１０が挿入される挿入孔２２ａが形成されており、挿入孔２２ａを介して対物レンズ２２に探触子１０が取り付けられる。
【００２８】
図２の説明に戻る。固視標投影光学系３０は、少なくとも固視標投影用の固視光源を有し，被検眼を固視させるための固視標を被検眼に向けて投影する。より具体的には、固視標投影光学系３０は、可視光を発する固視用の光源３２、固視標３３、開口絞り３４、投影レンズ３５、ビームスプリッタ４６、ビームスプリッタ３６、とを有し、探触子１０及び音響レンズ１６に形成された開口部１８を介して被検眼に固視標を投影する。固視標投影光学系３０の投影光軸Ｌ２は、観察光学系２０の光路中に配置されたビームスプリッタ４６にて観察光軸Ｌ１と同軸とされる。
【００２９】
ここで、光源３２から出射された固視標投影用の光束によって照明された固視標３３からの光は、開口絞り３４によって光束径が絞られた後、投影レンズ３５を通過し、ビームスプリッタ４６によって反射された後、ビームスプリッタ３６、開口部１８を介して、被検眼に向かい、被検眼眼底に投影される。これにより、被検眼の固視がなされる。
【００３０】
第１指標投影光学系４０は、少なくともアライメント指標投影用のアライメント光源を有し，被検眼前眼部に向けてアライメント指標を正面方向から投影する。より具体的には、第１指標投影光学系４０は、赤外光を発するアライメント用の光源４２、投影レンズ４４、ビームスプリッタ３６、とを有し、探触子１０に形成された開口部１８を介して被検眼角膜上にＸＹアライメント指標を投影する。また、アライメント指標投影光学系４０の投影光軸Ｌ３は、観察光学系２０の光路中に配置されたビームスプリッタ３６にて観察光軸Ｌ１と同軸とされる。
【００３１】
作動距離指標投影光学系５０は、Ｚ方向（前後方向）のアライメント検出用の赤外光源５１、投影レンズ５２、を有し、作動距離（Ｚ）方向におけるアライメント検出用の指標を被検眼角膜上に投影する。なお、投影光学系５０の投影光軸Ｌ４は、観察光軸Ｌ１と所定の角度で交わる。ここで、光源５１による光は、投影レンズ５２により略平行光束とされた後、投影光軸Ｌ４に沿って被検眼角膜に斜め方向から投影され、角膜Ｅｃで鏡面反射した光束は光源５１の虚像である指標ｉ２を形成する。
【００３２】
作動距離指標検出光学系５５は、受光レンズ５６、フィルタ５７、位置検出素子５８（例えば、ラインＣＣＤ）、を有し、距離指標投影光学系５０によって形成されたアライメント指標像を検出する。フィルタ５７は、光源５１の光を透過し、光源３８及び光源４２の光に対して不透過の特性を持つ。なお、作動距離指標検出光学系５５の投影光軸Ｌ５と作動距離指標投影光学系５０の投影光軸Ｌ４は観察光軸Ｌ１に対して対称な軸を持ち、光軸Ｌ５は光軸Ｌ４と光軸Ｌ１上で交差する。ここで、指標ｉ２からの光束は、受光レンズ５６によってフィルタ５７を介して位置検出素子５８上に結像される。被検眼Ｅ（角膜Ｅｃ）がＺ方向に移動すると、位置検出素子５８上を指標ｉ２が移動するため、位置検出素子５８からの検出信号に基づき被検眼Ｅに対する探触子１０のＺ方向におけるアライメント状態を検出できる。
【００３３】
なお、本実施形態において、作動距離指標投影光学系５０及び作動距離指標検出光学系５５は、超音波によって変形される角膜の変形量と変形速度を測定するための測定部として用いられる。変形量と変形速度は、光学的に検出しても良いし、又は、超音波によって検出しても良い。あるいは、その他の変位検出センサであってもよい。
【００３４】
例えば、制御部７０は、位置検出素子５８からの検出信号に基づいて超音波による角膜の変形量を経時的にモニタリングする。制御部７０は、超音波によって変形された角膜の変形量と、超音波によって角膜が変形される際の速度を演算する。制御部７０は、演算結果に基づいて眼圧を測定する（詳しくは、後述する）。
【００３５】
なお、本実施形態では、変形量と変形速度を光学的に測定する測定部は、Ｚ方向における眼Ｅに対するアライメント状態を光学的に検出するユニットを兼用する。これによって、装置構成が簡略化される。変形量と変形速度を光学的に測定する測定部としては、ＯＣＴ又はシャインプルーフカメラ等の前眼部断面像撮像ユニットを用いるようにしてもよい。
【００３６】
次に、図３を用いて、制御系の構成について説明する。制御部７０は、光源３２、光源４２、光源５１、二次元撮像素子２６、位置検出素子５８、光源３８、表示モニタ７２、記憶部としてのメモリ７５、回転ノブ５ａ、測定開始スイッチ５ｂ、各種スイッチが配置されたコントロール部７４、ＸＹＺ駆動部６、等と接続され、装置全体の制御、測定値の演算処理等を行う。
【００３７】
制御部７０は、二次元撮像素子２６からの検出信号に基づいてＸＹ方向のアライメント検出、位置検出素子５８からの検出信号に基づいてＺ方向のアライメント検出を行う。また、コントロール部７４には、被検眼に対する測定部４のアライメントを自動的に行う自動アライメントモードと被検眼に対する測定部４のアライメントを検者の手動にて行う手動アライメントモードを選択する選択スイッチ７４ａ、アライメント完了時に測定開始のトリガを自動的に発するオートショットモードと測定開始スイッチ５ｂからの操作信号に基づいて測定開始のトリガを発するマニュアルショットモードとを選択する選択スイッチ７４ｂ、等が配置されている。
【００３８】
以上のような構成を備える装置の動作について説明する。まず、検者は、被験者の顔を顔支持ユニット２に固定させた後、表示モニタ７２を見ながら、ジョイスティック５を用いて被検眼に対するアライメントを行う。このとき、制御部７０は、図４に示すように、二次元撮像素子２６によって取得される前眼部画像と、被検眼に対するアライメントを行うために利用されるレチクルＬＴ及びインジケータＧをモニタ７２上に合成して表示する。
【００３９】
被検眼に対するアライメント完了後、測定開始のトリガ信号が発せられる（入力される）と、制御部７０は、そのトリガ信号に基づいて、振動子１１を用いて超音波パルスを被検眼に向けて連続的に出射させてもよい。もちろん、超音波パルスは、単発であってもよい。また、角膜に放射される超音波は、連続波であってもよい。
【００４０】
本実施形態では、制御部７０は、振動中における角膜の変形量と変形速度に基づいて被検眼の眼圧を測定する。以下の説明では、制御部７０は、測定された変形速度に基づいて、超音波変形による角膜のヒステリシスを算出する。制御部７０は、測定された角膜の変形量と、算出されたヒステリシスと、に基づいて被検眼の眼圧を算出する。
【００４１】
図５は、超音波を照射するためのパルス信号の一例を示す図である。図５は、制御部７０から振動１１への印加電圧によって形成されるパルス信号Ｓｇ１の一例である。振動子１１は、パルス信号Ｓｇ１が印加されることによって振動し、超音波パルスを発生させる。
【００４２】
本実施形態において、超音波パルスは、例えば、周波数が５０ＫＨｚとする。制御部７０は、繰り返し周波数ＰＲＦとして、超音波パルスを５回角膜Ｅｃに入射させるように、制御部７０は、パルス信号Ｓｇ１を制御する。
【００４３】
なお、繰り返し周波数ＰＲＦは、先に入射した超音波パルスによって変形（扁平）した角膜Ｅｃが元の形状に戻ってから、後の超音波パルスが角膜Ｅｃに入射するように設定されることが好ましい。従って、繰り返し周波数ＰＲＦは、超音波パルスの周波数と、角膜ＥｃのヒステリシスＨの予測値（後述する）によって設定することが好ましい。
【００４４】
角膜Ｅｃは、連続的な超音波パルスによって強制的に振動され、変形（扁平）する。作動距離指標投影光学系５０及び作動距離指標検出光学系５５は、変形（扁平）した角膜Ｅｃの変形量Ｗを検出する。
【００４５】
図６は、超音波による角膜Ｅｃの変形量Ｗに関して説明するための一例を示す図である。位置検出素子５８は、角膜Ｅｃで反射される光源１１の反射光を検出する。角膜Ｅｃが超音波パルスによって振動し、変形（扁平）すると、光源１１からの反射光の方向が変化し、位置検出素子５８によって受光される検出信号のピーク位置が変化する。制御部７０は、ピーク位置の変化量によって角膜Ｅｃの変形量Ｗを検出する。例えば、予め実験的に求められた換算式によって、ピーク位置の変化量を角膜Ｅｃの変形量Ｗに換算して求めてもよい。
【００４６】
制御部７０は、例えば、位置検出素子５８によって検出される検出信号に基づいて、角膜Ｅｃの時間的な変形量Ｗを取得し、メモリ７５を記憶する。記憶された変形量Ｗは、眼圧の算出に用いられる。なお、変形量Ｗとしては、例えば、変形量Ｗの最大値であってもよいし、又は、変形開始から所定時間経過後の変形量、であってもよい。
【００４７】
図７は、作動距離指標投影光学系５０及び作動距離指標検出光学系５５によって測定された角膜Ｅｃの変形量Ｗの時間変化を示すグラフである。
【００４８】
制御部７０は、角膜が変形前の形状に戻るまでに要した時間（速度）に基づいて角膜ＥｃのヒステリシスＨを求める。
【００４９】
制御部７０は、例えば、角膜Ｅｃの変形量Ｗの時間的な変化から角膜ＥｃのヒステリシスＨを算出する。図７において、時間Ｔｒは、角膜Ｅｃが変形し始めたときから、元の形状に戻るまでの時間を示す。時間Ｔｆは、角膜Ｅｃが変形し始めたときから、変形量Ｗが最大（変形量Ｗｍａｘ）になるまでの時間を示す。時間Ｔｓは、角膜Ｅｃの変形量Ｗが最大になったときから元の形状に戻るまでの時間を示す。傾きＤｆは、角膜Ｅｃが変形し始めたときから、変形量Ｗが最大（変形量Ｗｍａｘ）になるまでの変形量Ｗの傾きを示す。傾きＤｓは、角膜Ｅｃの変形量Ｗが最大になったときから元の形状に戻るまでの変形量Ｗの傾きを示す。制御部７０は、例えば、時間Ｔｒ、時間Ｔｆ、時間Ｔｓ、傾きＤｆ、傾きＤｓなどの時間及び傾きの内、少なくとも一つの時間的な成分を、ヒステリシスＨとして算出する。ヒステリシスとは、例えば、角膜の時間的な変形状態を示す指標の一つとして用いられる。
【００５０】
続いて、制御部７０は、例えば、算出したヒステリシスＨと、変形量Ｗに基づいて眼圧を算出する。眼圧の算出方法は様々である。例えば、最大変形量ＷｍａｘとヒステリシスＨを掛け合わせ、さらに換算係数を掛けることによって眼圧を求めてもよい。
【００５１】
このように、角膜Ｅｃの変形量Ｗと角膜ＥｃのヒステリシスＨに基づいて眼圧を算出することができる。
【００５２】
例えば、被検眼を変形させるために圧縮した空気を噴出する場合、およそ２５［ｍｓ］の時間が掛かるとする。空気の代わりに超音波を用いれば、上記の１０００分の１程度の時間に短縮される。これは、空気の噴出速度に対して空気中を伝わる超音波の伝播速度が速いからである。超音波によって角膜Ｅｃが変形（扁平）される時間はとても短く、被検者は角膜Ｅｃの変形（扁平）による違和感を持つことがない。
【００５３】
従って、上記のように、被検眼の角膜を変形させるために超音波を用いることで、被検者に恐怖感または違和感を与えることなく眼圧を測定することができる。
【００５４】
なお、以上のように、角膜Ｅｃの変形量ＷとヒステリシスＨを求めることによって、ヒステリシスＨの影響が少なく、より正確な眼圧値を求めることができる。
【００５５】
なお、超音波パルスを連続的に照射することで、角膜Ｅｃの変形量のばらつきを検出することができる。したがって、変形量のばらつきを眼圧値の補正に用いることで、より正確な眼圧値を求めることができる。
【００５６】
なお、上記の説明において、眼圧を算出する際に、角膜Ｅｃの変形量ＷとヒステリシスＨを掛け合わせた上で、さらに換算係数を掛けることによって眼圧を求めるものと説明したが、これに限らない。例えば、角膜Ｅｃの変形量Ｗに換算係数を掛け、得られた眼圧値をヒステリシスＨによって補正することで、最終的な眼圧値を求めてもよい。
【００５７】
なお、本実施形態において、パルス波を連続的に角膜Ｅｃに入射させると説明したが、これに限らない。例えば、図８に示すように、バースト波を連続的に入射させてもよい。バースト波を入射させることによって、Ｓ/Ｎ比を大きくすることができる。
【００５８】
なお、上記説明においては、角膜の変形速度として角膜のヒステリシスを求めたが、これに限定されない。例えば、超音波によって変形される角膜の移動速度（例えば、角膜頂点の移動速度）を、ＯＣＴ又はシャインプルーフカメラ等の前眼部断面像撮像ユニットを用いて測定するようにしてもよい。制御部７０は、求められた移動速度を用いて眼圧を計測する。なお、前眼部断面像撮像ユニットに限定されず、何らかの速度計を用いるようにしてもよい。
【００５９】
なお、以上の説明においては、振動子１１からの超音波を直接被検眼に照射する構成としたが、これに限定されない。例えば、超音波反射ミラー９０を介して、被検眼に超音波を照射しても良い（図９参照）。なお、図９は超音波反射ミラーを用いた場合の一例を示す図である。図２と同じ番号を付した構成については、図２と同様の機能を果たすものとする。超音波反射ミラー９０は、例えば、観察光学系２０の観察光路中に配置されてもよい。振動子１１は、観察光学系２０の観察光路外に配置されてもよい。
【図面の簡単な説明】
【００６０】
【図１】本実施形態に係る非接触式超音波眼圧計の外観構成図である。
【図２】本実施形態に係る非接触式超音波眼圧計の測定系及び光学系について説明する図である。
【図３】本実施形態に係る非接触式超音波眼圧計の制御系について説明する図である。
【図４】表示モニタに表示された前眼部観察画面について説明する
【図５】振動子に印加するパルス信号を示す図である。
【図６】角膜の変形量を測定する様子を示す図である。
【図７】角膜の変形量の時間変化を示すグラフである。
【図８】パルス信号の一例を示す図である。
【図９】観察光学系の観察光路外に探触子が配置された構成の具体例について説明する図である。
【符号の説明】
【００６１】
１０  探触子
１１  振動子
１６  音響レンズ
１８  開口部
２０  観察光学系
Ｌ１  観察光軸
２２  対物レンズ
３０  固視標投影光学系
４０  第１指標投影光学系
５５  作動距離指標投影光学系
７０  制御部
８１  増幅器
９０  超音波反射部材
３１０  測定光学系
【図１】
2015008955.tif 000004
【図２】
2015008955.tif 000005
【図３】
2015008955.tif 000006
【図４】
2015008955.tif 000007
【図５】
2015008955.tif 000008
【図６】
2015008955.tif 000009
【図７】
2015008955.tif 000010
【図８】
2015008955.tif 000011
【図９】
2015008955.tif 000012